(57)【要約】　　　（修正有）【課題】店舗がチラシ等に付属させて配布するクーポンの宣伝効果を高められるように、クーポン配信者はその宣伝効果に応じた報酬を受け取るクーポン配信システムを提供する。【解決手段】クーポン配信依頼を受信して、クーポンの種類，使用者，使用店舗等のクーポン特定情報を配信するクーポン配信サーバーと、クーポン配信サーバーにより携帯電話にダウンロードされたクーポン情報を読み取り可能なリーダーと通信回線とに接続され、クーポンを使用する際、リーダーによって読み取ったクーポン情報を認証するための、店舗に備えるコンピュータを含み、クーポン配信サーバーには、携帯電話にクーポン情報をダウンロードする広告メールを送信機構と、クーポン情報を認証するデータベース機構と、読み取ったクーポン数を集計する集計手段と読み取ったクーポン数を集計してこの集計数に応じて請求額を算出する請求額算出機構とを備えたクーポン配信システム。【選択図】　　　　図１
2004126704.tif 000002
【特許請求の範囲】
【請求項１】
クーポン配信依頼を受信してクーポンを配信するように構成したクーポン配信サーバーと、このクーポン配信サーバーにより携帯電話にダウンロードされたクーポンを読み取り可能なリーダーと通信回線とに接続され、前記クーポンを使用する際、前記リーダーによって読み取ったクーポンの種類，使用者，使用店舗等のクーポンを特定する情報を認証するための店舗に備えるコンピュータとから成り、前記クーポン配信サーバーには、携帯電話に対して前記クーポンをダウンロードするための広告メールを送信できるように構成した広告メール送信機構と、前記読み取ったクーポンの種類，使用者，使用店舗等のクーポンを特定する情報を認証するデータベース機構と、前記読み取ったクーポンを前記コンピュータから通信回線を通じて前記データベース機構で認証する際に、前記読み取ったクーポンを集計する集計手段により、この読み取ったクーポンを集計してこの集計した数に応じて請求額を算出する請求額算出機構とを備えたことを特徴とするクーポン配信システム。
【請求項２】
クーポン配信依頼を受信してクーポンを配信するように構成したクーポン配信サーバーと、このクーポン配信サーバーにより携帯電話にダウンロードされ、この携帯電話の画面に表示されたクーポンを読み取り可能なリーダーと通信回線とに接続され、前記クーポンを使用する際、前記リーダーによって読み取ったクーポンの種類，使用者，使用店舗等のクーポンを特定する情報を認証するために、この読み取ったクーポンを前記クーポン配信サーバーに前記通信回線を通じて送信し、この送信したクーポンが認証されたことを示す前記クーポン配信サーバーからの認証データを受信することで、このクーポンによる値引きが可能となるように構成した店舗に備えるコンピュータとから成り、前記クーポン配信サーバーには、携帯電話に対して前記クーポンをダウンロードするための広告メールを送信できるように構成した広告メール送信機構と、前記読み取ったクーポンを受信して、この読み取ったクーポンの種類，使用者，使用店舗等のクーポンを特定する情報を認証した後、この読み取ったクーポンを認証したことを示す認証データを前記コンピュータに送信するように構成したデータベース機構と、前記読み取ったクーポンを前記コンピュータから通信回線を通じて前記データベース機構で認証する際に、このデータベース機構において認証する前記読み取ったクーポンの前記使用者が、同じ場合には加算せず、異なる場合には加算することで前記クーポンの使用者数を集計し、この集計した使用者数に応じて請求額を算出する請求額算出機構とを備えたことを特徴とするクーポン配信システム。
【発明の詳細な説明】
【０００１】
【発明の属する技術分野】
本発明は、クーポン配信システムに関するものである。
【０００２】
【従来の技術及び発明が解決しようとする課題】
一般に、店舗がチラシや雑誌等に付属させる等して配布されるクーポンは、配布するだけで一時的にではあるが、比較的容易に消費者の需要を喚起して宣伝効果及び利益を期待できるという点で、広く利用されている宣伝方法である。
【０００３】
また、このクーポンは、当然できるだけ多くの人に使用される程、前記店舗の宣伝・利益の双方の点で好ましいため、配布する量が多い程その効果も期待できる。
【０００４】
ところで、従来のクーポンは、店舗がクーポンを配布する業者にクーポンの配布を依頼する際、その料金は配布の規模に応じて決まるのが一般的である。
【０００５】
具体的には、例えば、新聞の折り込みチラシとしてクーポンを配布する場合には、配布する地域の範囲に応じた手数料と、このクーポンを発行する枚数に応じた印刷代とをこのクーポンの配布前に支払うことになる。
【０００６】
従って、大規模にクーポンを配布すると、仮に宣伝に失敗する等して利益が上がらなかった場合には、この店舗は上述したクーポンの配布に使った費用を回収することもできず、返って赤字が生じることもある。
【０００７】
そのため、特に中小企業においては、宣伝効果及び利益をあげる簡易な手段であるクーポンの配布を、そのリスクが故にためらったり、配布を小規模に抑える等消極的にならざるを得ないのが現状である。
【０００８】
本発明は、上述のような現状に鑑み、クーポンを配布する業者のクーポン配信サーバーと、クーポンの発行を依頼する店舗の備えるコンピュータとを通信回線を通じて接続し、実際に店舗でクーポンを使用する際には、このクーポンを店舗のコンピュータから通信回線を通じて前記クーポン配信サーバーに送信し、このクーポン配信サーバーは、前記クーポンを適宜な集計手段により集計して、この集計手段に基づいて集計した数に応じて請求額を算出するように構成することで、この店舗とクーポン配信サーバーとは、前記クーポンによる宣伝が成功したか否かによって前記クーポン配信サーバーの報酬を決める成功報酬型の契約を結ぶことができるから、クーポンによる宣伝の際、従来店舗だけが背負っていたリスクを店舗とクーポン配信サーバーとで分担することで、クーポン配信サーバーは従来よりもより熱心にマーケティング等の下準備を行った上で広告等のＰＲを行い、一層クーポンの宣伝効果を高めるように努め、その効果に応じた報酬を受け取ることができるし、依頼者側たる店舗は従来負わされていたリスクが軽減されて、より積極的にクーポンによる宣伝活動を行うことができるようになる極めて画期的なクーポン配信システムを提供するものである。
【０００９】
【課題を解決するため手段】
添付図面を参照して本発明の要旨を説明する。
【００１０】
クーポン配信依頼を受信してクーポンを配信するように構成したクーポン配信サーバーと、このクーポン配信サーバーにより携帯電話にダウンロードされたクーポンを読み取り可能なリーダーと通信回線とに接続され、前記クーポンを使用する際、前記リーダーによって読み取ったクーポンの種類，使用者，使用店舗等のクーポンを特定する情報を認証するための店舗に備えるコンピュータとから成り、前記クーポン配信サーバーには、携帯電話に対して前記クーポンをダウンロードするための広告メールを送信できるように構成した広告メール送信機構と、前記読み取ったクーポンの種類，使用者，使用店舗等のクーポンを特定する情報を認証するデータベース機構と、前記読み取ったクーポンを前記コンピュータから通信回線を通じて前記データベース機構で認証する際に、前記読み取ったクーポンを集計する集計手段により、この読み取ったクーポンを集計してこの集計した数に応じて請求額を算出する請求額算出機構とを備えたことを特徴とするクーポン配信システムに係るものである。
【００１１】
また、クーポン配信依頼を受信してクーポンを配信するように構成したクーポン配信サーバーと、このクーポン配信サーバーにより携帯電話にダウンロードされ、この携帯電話の画面に表示されたクーポンを読み取り可能なリーダーと通信回線とに接続され、前記クーポンを使用する際、前記リーダーによって読み取ったクーポンの種類，使用者，使用店舗等のクーポンを特定する情報を認証するために、この読み取ったクーポンを前記クーポン配信サーバーに前記通信回線を通じて送信し、この送信したクーポンが認証されたことを示す前記クーポン配信サーバーからの認証データを受信することで、このクーポンによる値引きが可能となるように構成した店舗に備えるコンピュータとから成り、前記クーポン配信サーバーには、携帯電話に対して前記クーポンをダウンロードするための広告メールを送信できるように構成した広告メール送信機構と、前記読み取ったクーポンを受信して、この読み取ったクーポンの種類，使用者，使用店舗等のクーポンを特定する情報を認証した後、この読み取ったクーポンを認証したことを示す認証データを前記コンピュータに送信するように構成したデータベース機構と、前記読み取ったクーポンを前記コンピュータから通信回線を通じて前記データベース機構で認証する際に、このデータベース機構において認証する前記読み取ったクーポンの前記使用者が、同じ場合には加算せず、異なる場合には加算することで前記クーポンの使用者数を集計し、この集計した使用者数に応じて請求額を算出する請求額算出機構とを備えたことを特徴とするクーポン配信システムに係るものである。
【００１２】
【発明の実施の形態】
好適と考える本発明の実施の形態（発明をどのように実施するか）を、図面に基づいてその作用効果を示して簡単に説明する。
【００１３】
クーポン配信サーバーと通信回線を通じて接続したコンピュータを備える店舗が、このクーポン配信サーバーにクーポンの配信を依頼する。
【００１４】
コンピュータは、クーポン配信サーバーから携帯電話にダウンロードしたクーポンを読み取り可能なリーダーと、通信回線とに接続され、前記クーポンを使用する際、前記リーダーにより読み取ったクーポンを前記クーポン配信サーバーに通信回線を通じて送信し、このクーポン配信サーバーのデータベース機構により認証するように構成したものである。
【００１５】
クーポン配信サーバーは、携帯電話に広告メールを送信するメール送信機構と、前記読み取ったクーポンの種類，使用者，使用店舗等のクーポンを特定する情報を認証するデータベース機構と、前記読み取ったクーポンを前記コンピュータから通信回線を通じて前記データベース機構で認証する際に、前記読み取ったクーポンを集計する集計手段により、この読み取ったクーポンを集計してこの集計した数に応じて請求額を算出する請求額算出機構とを備えたものである。
【００１６】
クーポン発行の依頼を受けたクーポン配信サーバーは、このクーポン及びこのクーポンを取得する方法を、新聞，雑誌等に広告する等してＰＲを行う。
【００１７】
このクーポンを取得する方法とは、具体的には携帯電話にクーポンをダウンロード可能となる広告メールを受信するために広告メール送信機構を作動させる方法のことである。
【００１８】
この広告メール送信機構を作動させる方法は、例えば、これらの広告に指定のアドレスを掲載して、この広告を閲覧した携帯電話の利用者が、指定されたアドレスにメールを送信することで、前記広告メール送信機構が作動するように構成したものである。
【００１９】
この広告メール送信機構により、前記携帯電話からのメールに対して例えば、クーポンをダウンロードするためのＵＲＬを掲載した広告メールが返信される。
【００２０】
上述の方法で広告メールを受信し、クーポンを携帯電話にダウンロードした前記携帯電話の利用者は、店舗においてこのクーポンをリーダーに読み取らせることで使用することができる。
【００２１】
この際、リーダーに読み取られたクーポンは、前記クーポン配信サーバーと通信回線を通じて接続したコンピュータによってクーポン配信サーバーに送信され、このクーポン配信サーバーのデータベース機構により認証されると共に、前記請求額算出機構の集計手段により、例えば、この読み取ったクーポンの使用者が同じ場合には加算せず、異なる場合には加算することで前記クーポンの使用者数が集計されるから、前記クーポン配信サーバーにおいても、確実にクーポンの使用者数を把握することができることになる。
【００２２】
従って、店舗とクーポン配信サーバーとが共に、実際のクーポン使用者数を把握することができるから、この店舗と前記クーポン配信サーバーとは、このクーポン配信サーバーが行った宣伝効果に応じ、このクーポン配信サーバーが店舗に前記請求額算出機構により算出した請求額を請求するという、成功報酬型の契約を結ぶことができることになる。
【００２３】
この成功報酬型の契約は、従来店舗だけが負わされていたクーポンによる宣伝の失敗時のリスクを、前記店舗とクーポン配信サーバーとで分担することで、上述した通り前記店舗においては、クーポンを配布する際のリスクを軽減することができるし、前記クーポン配信サーバーにおいては、より大きな報酬を獲得できる機会を得ることができるから、双方に利益をもたらすことになる。
【００２４】
具体的には、クーポン配信サーバーでは、クーポンの使用者数という形で明確に表される宣伝効果が報酬に直結するから、より多くの報酬を獲得する為に、より熱心にマーケティングを行ったり、種々のデータベースを利用する等して、クーポンを利用する可能性の高い範囲（地域，年齢，性別，職業等）に絞って重点的に広告したりする等、従来より一層力を入れてＰＲを行うことで、従来より一層良好な宣伝効果を得るように努力し、また、これにより良好な宣伝効果を得ることができれば得られる報酬も増加する。
【００２５】
店舗側では、上述のクーポン配信サーバーがより秀れたＰＲを行うことにより、一層秀れた宣伝効果を期待することができ、また、仮に宣伝がうまくいかなかった場合でも、支払う料金は少なくて済むから、従来に比べてリスクが大きく軽減され、より積極的にクーポンによる宣伝活動を行うことができる。
【００２６】
従って、本発明は、クーポンによる宣伝の際、従来店舗だけが背負っていたリスクを店舗とクーポン配信サーバーとで分担することで、クーポン配信サーバーにおいては、従来よりもより熱心にマーケティング等の下準備を行った上で広告等のＰＲを行い、一層クーポンの宣伝効果を高めるように努めて、その効果に応じた報酬を受け取ることができるし、依頼者側たる店舗においては、従来負わされていたリスクが軽減されて、より積極的にクーポンによる宣伝活動を行うことができるようになる極めて画期的なクーポン配信システムとなる。
【００２７】
【実施例】
本発明の具体的な実施例について図面に基づいて説明する。
【００２８】
本実施例は、図１に示すようにクーポン配信依頼を受信してクーポンを配信するように構成したクーポン配信サーバーと、このクーポン配信サーバーにより携帯電話にダウンロードされ、この携帯電話の画面に表示されたクーポンを読み取り可能なリーダーと通信回線とに接続され、前記クーポンを使用する際、前記リーダーによって読み取ったクーポンの種類，使用者，使用店舗等のクーポンを特定する情報を認証するために、この読み取ったクーポンを前記クーポン配信サーバーに送信して認証されたクーポンの認証データを受信することで、このクーポンによる値引きが可能となるように構成した店舗に備えるコンピュータとから成り、前記クーポン配信サーバーには、携帯電話に対して前記クーポンをダウンロードするための広告メールを送信できるように構成した広告メール送信機構と、前記読み取ったクーポンの種類，使用者，使用店舗等のクーポンを特定する情報を認証した後、このクーポンを認証したことを示す認証データを前記コンピュータに送信し、一度認証したクーポンは再度使用できないように構成したデータベース機構と、前記読み取ったクーポンを前記コンピュータから通信回線を通じて前記データベース機構で認証する際に、このデータベース機構において認証する前記読み取ったクーポンの使用者が同じ場合には加算せず、異なる場合には加算することでクーポンの使用者数を集計し、このクーポンの使用者数に応じて請求額を算出する請求額算出機構とを備えたものである。
【００２９】
具体的には、前記コンピュータを備える店舗から、クーポンの配信依頼を受信したクーポン配信サーバーは、携帯電話にクーポンをダウンロード可能となる広告メールを受信するための広告メール送信機構の作動方法を新聞，雑誌等に広告する等してＰＲを行い、前記携帯電話の利用者がこの広告メール送信機構を作動させることにより、前記携帯電話からのメールに対して、クーポンをダウンロードするためのＵＲＬを掲載した広告メールを返信し、この広告メールを受信してクーポンをダウンロードした前記携帯電話の利用者が店舗においてこのクーポンをリーダーに読み取らせた際、このリーダーに読み取られたクーポンが、前記クーポン配信サーバーと通信回線を通じて接続されたコンピュータから前記クーポン配信サーバーに送信されることで、このクーポンをデータベース機構により認証し且つこのクーポンの使用者数を集計した上で、前記クーポンによる値引きができるようにする前記クーポンを認証したことを示す認証データを前記コンピュータに送信するように構成したものである。
【００３０】
各部を具体的に説明すると、広告メール送信機構は、前記クーポン配信サーバーにおいて、携帯電話から指定のアドレスにメールが送信されると、このメールを送信した携帯電話に自動的に前記広告メールを返信するように構成したものである。
【００３１】
尚、本実施例においては、この広告メールは、クーポンをダウンロードするためのＵＲＬを掲載することで、クーポンをダウンロードできるように構成したが、他の方法、例えば、広告メールに前記クーポンをダウンロードするためのサイトのＵＲＬを掲載しても良い。また、広告メールにクーポンを添付する方法で行っても良い。
【００３２】
データベース機構は、前記クーポン配信サーバーにおいて、種々のデータをデータベース化して管理するものであり、本実施例においては、前記クーポンの種類，使用者，使用店舗等をデータベース化したものを含んだ構成である。
【００３３】
また、本実施例においては、前記クーポンを認証した後、認証したクーポンであることを証明する認証データを前記コンピュータに送信するように構成しているが、この認証データと前記コンピュータ内のクーポンのデータとを重合することにより、このクーポンで実際に値引きを行うことができるように設定されている。
【００３４】
請求額算出機構は、前記クーポン配信サーバーにおいて、前記データベース機構によりクーポンを認証する度に、このクーポンの使用者が異なる場合には使用者数として加算することで使用者数を集計し、この使用者数に応じて請求額を算出するように構成したものである。
【００３５】
尚、本実施例において請求額算出機構は、クーポンの使用者数を集計してこれに応じて請求額を算出するように構成しているが、この使用者数を延べ数で集計しても良いし、クーポンそのものの使用数を集計してこれに応じて請求額を算出するように構成しても良い。
【００３６】
リーダーは、前記携帯電話の画面に表示されるクーポン若しくはそのＵＲＬを読み取るように構成したものである。
【００３７】
コンピュータは、前記リーダーにより読み込まれたクーポンを取り込み、前記クーポン配信サーバーに送信してクーポンが前記データベース機構により認証された後、このクーポンの使用を許可する認証データを受信し、前記クーポンによる値引きができるように構成したものである。
【００３８】
尚、本実施例においては、前記データベース機構で一度認証されたクーポンは、再度使用できないように構成したが、複数回使用できるように構成しても良い。
【００３９】
本実施例は上述のように構成したから、店舗とクーポン配信サーバーの双方が共に、実際のクーポン使用者数を把握することができ、この店舗と前記クーポン配信サーバーとは、このクーポン配信サーバーが行った宣伝効果に応じ、このクーポン配信サーバーが店舗に前記請求額算出機構により算出した請求額を請求するという、成功報酬型の契約をすることができることになる。
【００４０】
この成功報酬型の契約は、店舗とクーポン配信サーバーとで、従来店舗だけが背負っていたリスクを分担することで、上述した通り前記店舗においては、広告時のリスクを軽減することができ、前記クーポン配信サーバーにおいては、より大きな報酬を獲得できる機会を得ることができるから、双方に利益をもたらすことになる。
【００４１】
具体的には、クーポン配信サーバーでは、クーポンの使用者数という形で表される依頼された広告の宣伝効果が報酬に直結するから、より多くの報酬を獲得する為に、より熱心にマーケティングを行ったり、種々のデータベースを利用する等して、クーポンを使用する可能性の高い範囲（地域，年齢，性別，職業等）に絞って重点的に広告したりする等、従来より一層力を入れてＰＲを行うことから、従来より一層良好な宣伝効果を得ることができると共に、クーポン配信サーバーが得られる報酬も増加する。
【００４２】
店舗側では、上述のクーポン配信サーバーがより秀れたＰＲを行うことにより、一層秀れた宣伝効果を得ることができ、また、仮に宣伝がうまく行かなかった場合には、支払う料金は少なくて済むから従来に比べてリスクが大きく軽減されるから、より積極的に宣伝活動を行うことができる。
【００４３】
しかも、一度広告メールを送信した携帯電話は、データベース化されてデータベース機構に管理されるから、以降も確実に広告メールを送信することができ、従来のように広範囲に無作為に配布していた場合と比べ、同じ人に繰り返し利用してもらうことができるから、従来より多くのリピーターを獲得できることになる。
【００４４】
従って、本実施例は、クーポンによる宣伝の際、従来店舗だけが背負っていたリスクを店舗とクーポン配信サーバーとで分担することで、クーポン配信サーバーにおいては、従来よりもより熱心にマーケティング等の下準備を行った上で広告等のＰＲを行い、一層クーポンの宣伝効果を高めるように努めて、その効果に応じた報酬を受け取ることができるし、依頼者側たる店舗においては、従来負わされていたリスクが軽減されて、より積極的にクーポンによる宣伝活動を行うことができるようになる画期的なクーポン配信システムとなる。
【００４５】
【発明の効果】
本発明は上述のように構成したから、クーポンによる宣伝の際、従来店舗だけが背負っていたリスクを店舗とクーポン配信サーバーとで分担することで、クーポン配信サーバーにおいては、従来よりもより熱心にマーケティング等の下準備を行った上で広告等のＰＲを行い、一層クーポンの宣伝効果を高めるように努め、その効果に応じた報酬を受け取ることができるし、依頼者側たる店舗においては、従来負わされていたリスクが軽減されて、より積極的に宣伝活動を行うことができるようになる極めて画期的なクーポン配信システムとなる。
【００４６】
また、請求項２に記載の発明においては、クーポン配信サーバーにおいてより確実に店舗におけるクーポンの使用を把握できるから、このクーポン配布業者が不利益を被る危険が極めて少なくなる極めて実用的なクーポン配信システムとなる。
【図面の簡単な説明】
【図１】本実施例の構成概略説明図である。
【図１】
2004126704.tif 000003